【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
レーザーダイオードから出射されるレーザー光を形状可変ミラーによって対物レンズに反射するとともに、上記対物レンズにてレーザー光を光ディスクの読み取り面に集光する光ピックアップ装置と、
上記形状可変ミラーの形状を制御する制御部とを有する記録再生装置において、
上記形状可変ミラーはミラー面の形状を、下記に記すツェルニケの多項式
【数１】
2008097784.tif 000001
の第四項と第五項を用いて算出することで、収差を低減させるとともに、
上記ツェルニケの多項式の第四項と第五項を構成するツェルニケ係数Ｃ４、Ｃ５は、
【数２】
2008097784.tif 000002
の式を満たすことを特徴とする記録再生装置。
【請求項２】
光源から出射される光を対物レンズに反射する形状可変ミラーの形状設計方法において、
上記形状可変ミラーは、反射する光の収差を低減させるためにミラー面の形状を、下記に記すツェルニケの多項式
【数１】
2008097784.tif 000003
の第四項と第五項を用いて算出することを特徴とする形状可変ミラーの形状設計方法。
【請求項３】
上記ツェルニケの多項式の第四項と第五項を構成するツェルニケ係数Ｃ４、Ｃ５は、
【数２】
2008097784.tif 000004
の式を満たすことを特徴とする請求項２に記載の形状可変ミラーの形状設計方法。
【請求項４】
レーザーダイオードから出射されるレーザー光を形状可変ミラーによって対物レンズに反射するとともに、上記対物レンズにてレーザー光を光ディスクの読み取り面に集光する光ピックアップ装置において、
上記形状可変ミラーはミラー面の形状を、下記に記すツェルニケの多項式
【数１】
2008097784.tif 000005
の第四項と第五項を用いて算出することで、収差を低減させたことを特徴とする光ピックアップ装置。
【請求項５】
上記ツェルニケの多項式の第四項と第五項を構成するツェルニケ係数Ｃ４、Ｃ５は、
【数２】
2008097784.tif 000006
の式を満たすことを特徴とする請求項４に記載の光ピックアップ装置。
【手続補正２】
【補正対象書類名】明細書
【補正対象項目名】００１４
【補正方法】変更
【補正の内容】
【００１４】
上記のように構成した請求項２にかかる発明において、集光した光の収差を低減するために、形状可変ミラーのミラー面の形状は、ツェルニケの多項式の第四項と第五項とを用いて算出される。そのため、ミラー面の形状を、ミラー面半径α、偏角θ、規格化半径ρ、さらにはツェルニケ係数Ｃ４とＣ５を用いた簡単な式にて算出することができる。
【手続補正３】
【補正対象書類名】明細書
【補正対象項目名】００１５
【補正方法】変更
【補正の内容】
【００１５】
上述した、ツェルニケの多項式を用いた形状可変ミラーのミラー面の形状の算出において、形状可変ミラーを算出する変数はツェルニケ係数Ｃ４、Ｃ５である。そのためツェルニケ係数Ｃ４、Ｃ５を関連付けることにより、形状可変ミラーの形状を算出するための変数をさらに減らして、より一層簡易な式により形状可変ミラーのミラー面の形状の算出を行うことができる。そのため請求項３にかかる発明では、上記ツェルニケの多項式の第四項と第五項を構成するツェルニケ係数Ｃ４、Ｃ５は、
【数２】
2008097784.tif 000007
の式を満たす構成としている。
【手続補正４】
【補正対象書類名】明細書
【補正対象項目名】００１６
【補正方法】変更
【補正の内容】
【００１６】
上記のように構成した請求項３にかかる発明において、Ｃ４、Ｃ５の関係は上記式を用いて表される。これにより、ツェルニケ係数Ｃ４、およびＣ５は一方を変数とした計算式により表される。上述したツェルニケ係数Ｃ４、Ｃ５の関係式を用いることで、ミラー面を算出する式の変数をさらに減らすことができる。これにより収差を軽減する形状可変ミラーのミラー面の形状はツェルニケの多項式によりＣ４ないしＣ５を変数とした一次式により算出される。そのため、形状可変ミラーの形状を一次の変数を用いて簡易に近似することが可能となる。
【手続補正５】
【補正対象書類名】明細書
【補正対象項目名】００１９
【補正方法】変更
【補正の内容】
【００１９】
さらに、上述した形状可変ミラーを用いた具体的な構成として請求項５の発明は、上記ツェルニケの多項式の第四項と第五項を構成するツェルニケ係数Ｃ４、Ｃ５は、
【数２】
2008097784.tif 000008
の式を満たす構成としている。
【手続補正６】
【補正対象書類名】明細書
【補正対象項目名】００２１
【補正方法】変更
【補正の内容】
【００２１】
また、上述した光ピックアップ装置を使用する具体的な構成として本発明の請求項１にかかる発明では、レーザーダイオードから出射されるレーザー光を形状可変ミラーによって対物レンズに反射するとともに、上記対物レンズにてレーザー光を光ディスクの読み取り面に集光する光ピックアップ装置と、上記形状可変ミラーの形状を制御する制御部とを有する記録再生装置において、
上記形状可変ミラーはミラー面の形状を、下記に記すツェルニケの多項式
【数１】
2008097784.tif 000009
の第四項と第五項を用いて算出することで、収差を低減させるとともに、上記ツェルニケの多項式の第四項と第五項を構成するツェルニケ係数Ｃ４、Ｃ５は、
【数２】
2008097784.tif 000010
の式を満たす構成としている。
【手続補正７】
【補正対象書類名】明細書
【補正対象項目名】００３１
【補正方法】変更
【補正の内容】
【００３１】
（１−２）形状可変ミラーのミラー面の算出方法
次に、形状可変ミラー１４ａの具体的なミラー面の形状算出方法を説明する。ツェルニケの多項式を用いて形状可変ミラー１４ａのミラー面の形状Ｗは
【数１】
2008097784.tif 000011
…（１）
と算出される。（１）式は多項式であるので、ｊ＝１〜の各項においてミラー面を近似するための所定の特徴を持ち合わせている。図２は、ツェルニケ多項式Ｚｊ（ρ、θ）のｊ＝１〜２０までの式を表した表である。同図より、ツェルニケ多項式Ｚｊ（ρ、θ）の第四項、第五項はそれぞれ
【数３】
2008097784.tif 000012
…（２）
となり、第四項と第五項は形状可変ミラー１４ａの形状をそれぞれ図３、図４のように表現する。図３は、ツェルニケの多項式の第四項により表される波面の図である。図４は、ツェルニケの多項式の第五項により表される波面の図である。
【手続補正８】
【補正対象書類名】明細書
【補正対象項目名】００３２
【補正方法】変更
【補正の内容】
【００３２】
また、上述したツェルニケ多項式の第四項と第五項を用いて、形状可変ミラー１４ａのミラー面の形状Ｗ（ζ、η）は、
【数４】
2008097784.tif 000013
…（３）
と展開できる。このとき上記式を用いてｒａｄ方向の曲率はθ＝０°を代入することで計算でき、
２Ｃ４＋Ｃ５          …（４）
また、ｔａｎ方向の曲率はθ＝９０°を代入することで計算でき、
２Ｃ４−Ｃ５          …（５）
今、ｔａｎ方向の曲率半径に対するｒａｄ方向の曲率半径の比は
｛ｃｏｓ（２Φ）＋１｝／２      …（６）
であるので、上記（６）式を用いて、（４）式と（５）式との関係は、
｛ｃｏｓ（２Φ）＋１｝／２（２Ｃ４＋Ｃ５）＝２Ｃ４−Ｃ５
これをＣ４、Ｃ５により整理して
【数２】
2008097784.tif 000014
…（７）
以上よりツェルニケ係数Ｃ４、Ｃ５の関係式が算出される。
【手続補正９】
【補正対象書類名】明細書
【補正対象項目名】００３３
【補正方法】変更
【補正の内容】
【００３３】
上述したツェルニケ係数Ｃ４、Ｃ５の関係によりＣ５ないしＣ４はもう一方（Ｃ４に対してはＣ５、Ｃ５に対してはＣ４）を変数とする式（７）により算出される。これにより、形状可変ミラー１４ａのミラー面の形状をツェルニケの多項式（１）を用いて算出する場合、ミラー面の形状Ｗ（ζ、η）は、変数をＣ４またはＣ５の一次式として算出することが可能となる。これにより光の収差を低減する形状可変ミラー１４ａのミラー面の形状を算出する際、Ｃ４ないしＣ５を変数とした一次式として表すことが可能となる。
【手続補正１０】
【補正対象書類名】明細書
【補正対象項目名】００４１
【補正方法】変更
【補正の内容】
【００４１】
（３）まとめ
以上説明したように、形状可変ミラー１４ａの光を受光するミラー面の形状は、ツェルニケの多項式の第四項と第五項により近似的に算出される。さらに、ツェルニケの多項式の第四項と第五項を構成するツェルニケ係数Ｃ４とＣ５は前述した（７）式によりＣ４とＣ５のどちらかを一方の変数とする値となる。前述した（７）式を（１）式に代入することで、形状可変ミラー１４ａのミラー面の形状は形状の算出が簡易となる。また、上記形状可変ミラー１４ａを使用した光ピックアップ装置１０を用いることで、簡易な構造で収差を軽減することが可能となる。
【手続補正１１】
【補正対象書類名】図面
【補正対象項目名】図９
【補正方法】変更
【補正の内容】
【図９】
2008097784.tif 000015